(57)【要約】      （修正有）【課題】太さの異なる傘の柄に装着後もカバーのぐらつきやズレ落ちを防止し、握っても痛みを生ぜず、滑り止めや衛生上の問題を解決した傘の柄カバーを提供する。【解決手段】傘の柄４の挿入口を有し中が空洞状のカバー体からなる傘の柄カバー１であって、傘の柄４の挿入口の形状及びカバー体の断面形状を略楕円形状とする。また、傘の柄カバー１の表面部に滑り止め部を設け、更に傘の柄カバー１の表面部に、撥水加工または抗菌加工の何れかを施す。【選択図】図４
0003232295.tif 000002
【実用新案登録請求の範囲】
【請求項１】
傘の柄の挿入口を有し中が空洞状のカバー体からなる傘の柄カバーであって、傘の柄の挿入口の形状及びカバー体の断面形状が略楕円形状となっていることを特徴とする傘の柄カバー。
【請求項２】
傘の柄カバーの表面部は、滑り止め部を有していることを特徴とする請求項１に記載の傘の柄カバー。
【請求項３】
傘の柄カバーの表面部は、撥水加工または抗菌加工の何れかを施していることを特徴とする請求項１または請求項２に記載の傘の柄カバー。
【考案の詳細な説明】
【技術分野】
【０００１】
本考案は、傘の柄カバーに関するものである。
【背景技術】
【０００２】
従来、傘の柄カバーに関するものとして、ゴム製やスポンジ製または布製の傘の柄カバーが考案されている。そして、布製の傘の柄カバーにおいては、該カバー本体に人形やボンボリを取り付けて市販の傘を個性化する手段が取られている。
【０００３】
また、装着簡単でフィット感や手触りが良く、装着後も傘の柄カバーのぐらつきやズレ落ちを防止し、個性的な傘の柄カバーも知られている。
【非特許文献１】実開平６−８４９１２号
【考案の開示】
【考案が解決しようとする課題】
【０００４】
しかしながら、傘の柄の太さには、様々なものがあり、傘の柄の太さが、傘の柄カバーの筒状の太さより小さい場合は、装着後に緩みが生じてしまうことがあった。
【０００５】
また、傘の柄の形状の中には、指に接する部分が先細った形状のものが存在し、握った状態で指に食い込んで痛みを生じることがあった。
【０００６】
更に、傘の柄カバーの表面が手袋をしたままでは滑りやすく、更に、衛生上の観点から改良を施したものは存在しなかった。
【０００７】
本考案は、上記問題を解決するため成されたもので、太さの異なる傘の柄に装着後もカバーのぐらつきやズレ落ちを防止し、握っても痛みを生ぜず、滑り止めや衛生上の問題を解決した新たな傘の柄カバーを提供する。
【課題を解決するための手段】
【０００８】
請求項１に記載の考案は、傘の柄の挿入口を有し中が空洞状のカバー体からなる傘の柄カバーであって、傘の柄の挿入口の形状及びカバー体の断面形状が略楕円形状となっていることを特徴とする。
【０００９】
請求項２に記載の考案は、請求項１に記載の傘の柄カバーにおいて、傘の柄カバーの表面部は、滑り止め部を有していることを特徴とする。
【００１０】
請求項３に記載の考案は、請求項１または請求項２に記載の傘の柄カバーにおいて、傘の柄カバーの表面部は、撥水加工または抗菌加工の何れかを施していることを特徴とする。
【考案の効果】
【００１１】
請求項１に記載の考案によれば、太さの異なる傘の柄に装着後もカバーのぐらつきやズレ落ちを防止出来るうえ、一部が角張った柄に装着することで、手の指に係る柄の押し圧を緩めることが出来る。
【００１２】
請求項２に記載の考案によれば、傘の柄カバーの表面が手袋をしたままでも滑らない。
【００１３】
請求項３に記載の考案によれば、いつも衛生的な状態で使用することが出来る。
【考案を実施するための最良の形態】
【００１４】
本考案の傘の柄カバー１は、傘の柄４の挿入口２を有し中が空洞状のカバー体からなる傘の柄カバー１であって、傘の柄の挿入口２の形状及びカバー体の断面形状を略楕円形状とする。
また、傘の柄カバー１の表面部に滑り止め部５を設け、更に傘の柄カバー１の表面部に、撥水加工または抗菌加工の何れかを施す。
【実施例】
【００１５】
以下、図面を参照して本考案に係る傘の柄カバーの実施例を説明する。
図１は、本考案の傘の柄カバー１であり、図５のように中生地７の片面又は両面に伸縮自在の表面生地６を貼り合せた多層生地を用いて、傘の柄の挿入口２の形状及びカバー体の断面形状を図２のように略楕円形状にしたものである。
【００１６】
ここで、伸縮自在の表面生地６は、実施例では、ポリエステル100％の生地を用いるが、特に限定するものではなく、レーヨン繊維、ポリエステル繊維、ポリアミド繊維、アラミド繊維又はこれらの混合等を用いることが出来る。
【００１７】
また、中生地７の素材は、実施例では、ネオプレンゴムを用いるが、特に限定するものではなく、合成ゴムであれば、クロロプレンゴム、スチレンブタジエンゴム、ポリウレタンゴム、ウレタンゴム、クロロプレンゴム等を用いることが出来る。
【００１８】
そして、所定の傘の柄の長さに合わせた縦長形の多層生地を２枚重ねて、挿入口２を残して残りの辺を縫合するか、傘の柄の長さに合わせた縦長形の多層生地を長手方向に半分に折り、挿入口２を残して重なり合う辺を縫合する。
【００１９】
このとき、図２の通り、図１Ａ−Ａ´の傘の柄の挿入口２及び、Ｂ−Ｂ´、Ｃ−Ｃ´のカバー体の断面形状を略楕円形状にした状態となるようにする。
【００２０】
また、この略楕円形状は、内面同士が塞がっているか、やや隙間を空けて成形することでも傘の柄の太さにかかわらず、装着できるようになる。
【００２１】
また、図１右及び図５右のように、挿入口２の対端に当る辺を縫合せずに、挿入した傘の柄の端が一部出るように開口部２を形成しても構わない。
【００２２】
次に、図４のように、傘の柄カバー1の表面に滑り止め部５を設ける。
【００２３】
滑り止め部５として、合成ゴムを、傘の柄カバー１表面の一部又は全部にロウ付けするか、滑りにくい樹脂コーティングを施すことが望ましい。
【００２４】
また、傘の柄カバー１が複数からなる層の場合、エンボス加工を施すことでも滑り止め部５となりうる。
【００２５】
更に、傘の柄カバー１の表面に撥水加工または抗菌加工を施すことができる。
【００２６】
どちらも、傘の柄カバー表面に撥水成分又は抗菌成分をコーティングしても良いし、表面層を構成する素材にあらかじめ練りこんだものを使用しても構わない。
【００２７】
なお、上記滑り止め材の樹脂コーティングの際に、当該樹脂に混合したものを使用することもできる。
【００２８】
このように、好ましい実施例を挙げて本考案を説明したが、本考案はその実施例に限定されるものではなく、本考案の要旨の範囲内で種々に改変できる。
【図面の簡単な説明】
【００２９】
【図１】本考案に係る傘の柄カバーの図である。
【図２】本考案に係る傘の柄カバーの挿入口及びカバー体の断面図である。
【図３】本考案に係る傘の柄カバーの断層図である。
【図４】本考案に係る傘の柄カバーの装着図である。
【図５】本考案に係る傘の柄カバーに滑り止めを施した図である。
【符号の説明】
【００３０】
１  傘の柄カバー
２  挿入口（開口部）
３  断面形状
４  傘の柄
５  滑り止め部
６  表面生地
７  中生地
【図１】
0003232295.tif 000003
【図２】
0003232295.tif 000004
【図３】
0003232295.tif 000005
【図４】
0003232295.tif 000006
【図５】
0003232295.tif 000007